(57)【要約】      （修正有）【課題】使用環境にあわせて自動調節され、液体シールと浮力カバーシールとの間で変換自在であり、かつ効果が持続的である自己適応可能な床ドレンを提供する。【解決手段】非対称Ｕ字管１を構成するａ管１１、ｂ管１２と、ロッキングリング１３と、浮力カバー２と、網状構造であるグリッド１４と、を含み、ａ管がｂ管より高く、それと同時にａ管にはロッキングリングが設けられ、ｂ管には浮力カバーが設けられ、底部が連通した排水孔１５であり、浮力カバーの上下両面には柱体構造が設けられ、浮力カバーの上の柱体はロッキングリングに接続された固定柱２１であり、下の柱体は中空の浮力柱２２であり、ｂ管の出口１６の外輪部位には広げたリング構造１７が設けられ、浮力カバー２がそれを完全にカバーする。【選択図】図２
0003200552.tif 000002
【実用新案登録請求の範囲】
【請求項１】
自己適応可能な床ドレンであって、非対称Ｕ字管であるａ管、ｂ管と、ロッキングリングと、浮力カバーと、網状構造であるグリッドと、を含み、ａ管がｂ管より高く、かつａ管にはロッキングリングが設けられ、ｂ管には浮力カバーが設けられ、底部が連通した排水孔であり、浮力カバーの上下両面には柱体構造が設けられ、浮力カバーの上の柱体はロッキングリングに接続するための固定柱であり、浮力カバーの下の柱体が中空の浮力柱であり、ｂ管の出口箇所の外輪部位には広げたリング構造が設けられ、浮力カバーがそれを完全にカバーすることができることを特徴とする自己適応可能な床ドレン。
【請求項２】
浮力カバーの上の固定柱はロッキングリングを貫通し、上下運動することができ、浮力カバーの下の中空の浮力柱が排水孔の先端の上方に位置することを特徴とする請求項１に記載の自己適応可能な床ドレン。
【請求項３】
浮力カバーがｂ管の出口をカバーする時に、浮力カバーの上の固定柱がまだロッキングリングを貫通していることを特徴とする請求項１に記載の自己適応可能な床ドレン。
【請求項４】
浮力カバーｂ管の出口をカバーする時に、浮力カバーの下の中空の浮力柱の長さは排水孔の先端の高度位置を超えないことを特徴とする請求項１に記載の自己適応可能な床ドレン。
【請求項５】
通常、浮力カバーの上下両面の柱体は蓋面の中心位置に位置するが、必要に応じて固定柱の位置が蓋面の中心位置から外れることができることを特徴とする請求項１に記載の自己適応可能な床ドレン。
【請求項６】
浮力カバーの下の中空の浮力柱は浮力を有する材料から作成することもでき、構成が中実であることを特徴とする請求項１に記載の自己適応可能な床ドレン。
【請求項７】
ａ管の入り口箇所に網状構造であるグリッドが設けられ、ｂ管の出口箇所が広げられる必要があることを特徴とする請求項１に記載の自己適応可能な床ドレン。
【考案の詳細な説明】
【技術分野】
【０００１】
本案は自己適応可能な床ドレンに関する。
【背景技術】
【０００２】
従来、市場にはさまざまな床ドレンがあり、その方式は液体シール型、磁気式、バネ型、重力スイッチ型、シリカゲル型などに大別され、それらに共通する問題は材料が老朽化した後、或いは何らかの汚れが付着した後に、そのシール効果が低下してしまうことにある。
【考案の概要】
【考案が解決しようとする課題】
【０００３】
本案の目的は自己適応可能（self-adaptive）な床ドレンを提供し、床ドレンが使用環境にあわせて自動調節され、液体シールと浮力カバーシールとの間で変換自在であり、かつ効果を持続的であるようにすることである。本発明の他の目的は、材料が老朽化した後にシール効果が悪い問題を解決することである。
【課題を解決するための手段】
【０００４】
前記目的を実現するために、本案は以下の技術方案を提供する。
【０００５】
自己適応可能な床ドレンは、非対称Ｕ字管であるａ管、ｂ管と、ロッキングリングと、浮力カバーと、網状構造であるグリッドと、を含む。ただし、ａ管がｂ管より高く、それと同時にａ管にはロッキングリングが設けられ、ｂ管には浮力カバーが設けられ、底部が連通した排水孔であり、浮力カバーの上下両面にはいずれも柱体構造が設けられ、浮力カバーの上の柱体はロッキングリングに接続するための固定柱であり、浮力カバーの下方の柱体が中空の浮力柱であり、ｂ管の出口箇所の外輪部位には広げたリング構造を有し、浮力カバーがそれを完全にカバーすることができる。
【０００６】
さらに、浮力カバーの上の固定柱はロッキングリングを貫通し、上下運動することができ、浮力カバーの下の中空の浮力柱が排水孔の先端の上方に位置する。
【０００７】
さらに、浮力カバーがｂ管の出口をカバーした時に、浮力カバーの上の固定柱はまだロッキングリングを貫通する。
【０００８】
さらに、浮力カバーがｂ管の出口をカバーする時に、浮力カバーの下の中空の浮力柱は、長さが排水孔の先端の高さ位置を超えない。
【０００９】
さらに、通常に、浮力カバーの上下両面の柱体は蓋面の中心位置に位置するが、必要に応じて、固定柱の位置は蓋面の中心位置から外れることもできる。
【００１０】
さらに、浮力カバーの下の中空の浮力柱は浮力を有する材料から作成することもでき、構成は中実であってもよい。
【００１１】
さらに、ａ管の入り口箇所に網状構造であるグリッドが設けられ、ｂ管の出口箇所に広げることが必要である。
【００１２】
さらに、浮力カバーは持続防臭、臭気帰り防止の機能を提供することができる。
【００１３】
さらに、浮力カバーがｂ管のリングをカバーすることでよりよいシール性を有する。
【００１４】
さらに、リングは環状の凹凸構成または外への勾配を有して浮力カバーと結合することができ、よりよいシール効果を実現する。
【００１５】
さらに、Ｕ字管に残した水は液体シールの効果を働くことができる。
【００１６】
さらに、水位が下がった後に、水面に浮かんでいる浮力カバーは、浮力カバーがｂ管の出口をカバーするまで中空の浮力柱とともに落下する。
【００１７】
さらに、中空の浮力柱は水流の増大に伴って上がっていく。
【００１８】
さらに、固定柱は一本の中実の柱体である。
【００１９】
さらに、固定柱は浮力カバーの上、下に対して位置決めおよび位置復元の機能を提供することができる。
【００２０】
さらに、浮力カバーと液体シールとは結合し、床ドレンはよりよいシール効果を有する。
【００２１】
さらに、浮力カバーの下の中空の浮力柱は浮力カバーに対して浮力を提供するように設けられる。
【００２２】
さらに、網状構造であるグリッドは髪などの物体の混入防止の機能を発揮する。
【００２３】
さらに、ステンレス鋼、亜鉛めっき管、プラスチックなどはＵ字管のよい製造材料であり、浮力カバーの材料は変形度が小さいプラスチックが第一選択であり、蓋面は金属製品を採用することができる。
【考案の効果】
【００２４】
本案の優れた効果は、自己適応可能な床ドレンの構造を改良することで、床ドレンが液体シールの機能を有し、また、浮力カバーシールの機能を有し、両者が交替に働くことである。排水した後に、Ｕ字管に残した水は液体シールの機能を発揮し、防臭し、臭気返りを防止する。長時間にわたって使用しない場合には、水が蒸発した後に水位が下がり、水面に浮かんでいる浮力カバーは、ｂ管の出口をカバーするまで落下する。このように、シールの効果を果たす。両者は異なる状況でシール効果を果たすことができ、実用性が高く、適応性もよい。
【００２５】
それは伝統的な床ドレンが水が乾燥した後に、防臭機能が失われて、或いは吸引力が降下して密閉性が悪くなるという問題の悩みを克服することができる。最も重要なことは、それが製造コストが低く、効果が優れており、長時間にわたって効果があることである。
【図面の簡単な説明】
【００２６】
【図１】本案の断面構成を模式的に示す図である。
【図２】本案の構成を模式的に示す図である。
【図３】本案の構成を模式的に示す図である。
【考案を実施するための形態】
【００２７】
以下、図面および実施形態を参照しながら本案をさらに詳しく説明する。
【００２８】
図１〜３に示すように、自己適応可能な床ドレンは、非対称Ｕ字管１であるａ管１１およびｂ管１２と、ロッキングリング１３と、網状構造であるグリッド１４と、浮力カバー２と、を含み、ａ管１１がｂ管１２より高く、それと同時にａ管１１にはロッキングリング１３が設けられ、ｂ管１２には浮力カバー２が設けられ、底部が連通した排水孔１５であり、浮力カバー２の上下両面には柱体構造が設けられ、浮力カバー２の上の柱体はロッキングリング１３に接続するための固定柱２１であり、浮力カバー２の下の柱体が中空の浮力柱２２であり、ｂ管１２の出口１６箇所の外輪部位には広げたリング１７状の構成が設けられ、浮力カバー２がそれを完全にカバーすることができる。
【００２９】
使用時に、水流がａ管１１から流入し、網状構造を有するグリッド１４を通過し、底部の排水孔１５を通過した後に、さらにｂ管１２に流入し、さらにｂ管１２の出口から排出される。水流が停止した後に、Ｕ字管１の底部に残った水は液体シールの作用を奏する。ｂ管１２部分に残した水は中空の浮力柱２２により浮力カバー２全体を上へ上げると同時に、固定柱２１は浮力カバー２に対して上、下の接続固定を提供する。長時間にわたって使用しない場合には、水が全部蒸発し、浮力カバー２は浮力カバー２がｂ管１２の出口１６箇所をカバーするまで水位の低下に従って落下する。ｂ管１２の出口１６の外輪にはリング構造が設けられ、浮力カバー２がその上をカバーして、よいシール性能を保証する。このように、持続的なシールの効果を保証し、床ドレンのまったく新しい使用感覚を実現する。
【符号の説明】
【００３０】
１  Ｕ字管
１１  ａ管
１２  ｂ管
１３  ロッキングリング
１４  網状構造であるグリッド
１５  排水孔
１６  出口
１７  リング
２  浮力カバー
２１  固定柱
２２  中空の浮力柱
【図１】
0003200552.tif 000003
【図２】
0003200552.tif 000004
【図３】
0003200552.tif 000005